(57)【特許請求の範囲】
【請求項１】
伸縮性及び保湿性を有し、角質化した皮膚を被覆するように配置されるパッド部材と、
通気性及び前記パッド部材よりも高い伸縮性を有し、角質化した皮膚を被覆する前記パッド部材を固定するため前記パッド部材に取り付けられたバンド部材と、を備え、
前記バンド部材の伸縮性は、前記バンド部材を構成しかつ幅５０ｍｍ及び長さ１００ｍｍとされた布地を長さ方向に荷重を加えながら伸長させ、実質的に伸長する部分の長さが２倍になったときに加えられている荷重が５Ｎ以上２０Ｎ以下であり、かつ、前記長さが２倍になった布地を１分間保持した後、荷重を取り除いた状態で１分間保持したときの回復した長さが、前記布地を伸長させた長さに対する比率で９０％以上１００％以下である角質除去補助具。
【請求項２】
前記パッド部材は、足の裏の後部の踵を覆うようにカップ状に形成され、
前記バンド部材は、足の甲の少なくとも一部を覆い、かつ、足先を露出させる先端側の開口部が下端部よりも上端部が足先側に位置するとともに前記パッド部材の先端部から斜め上方に延びるように、前記パッド部材に取り付けられている、請求項１に記載の角質除去補助具。
【請求項３】
前記バンド部材は、メッシュ状に形成されている請求項１又は２に記載の角質除去補助具。
【請求項４】
前記パッド部材は、クロロプレンゴムの表裏の両面に合成樹脂繊維からなる布地が貼り合わされてなる請求項１〜３のいずれかに記載の角質除去補助具。
【発明の詳細な説明】
【技術分野】
【０００１】
本発明は、例えば足の踵などの角質化した皮膚（角質）の除去を容易にするための角質除去補助具に関するものである。
【背景技術】
【０００２】
冬のような空気が乾燥する時期は、人の皮膚が乾燥し易く、特に足の踵や膝、腕の肘の部分の皮膚は厚く乾燥し易い。皮膚が過度に乾燥すると角質化し、これがひどくなると、角質化した部分にひび割れが生じる。その結果、痛みを誘発したり、割れ目から細菌が浸透して感染するおそれがある。このような皮膚の角質を除去する方法として、従来から、軽石などを用いて、入浴後に角質をこすり取る方法、あるいは、尿素やサリチル酸などを含むクリームを角質に塗り込んで軟化させる方法などが知られている。しかし、角質をこすり取る方法は、角質が十分に保湿されて軟化していないと、皮膚を傷つけたり、傷つけた箇所より病原菌が侵入するおそれがあり、角質の除去を容易に行うことができない。一方で、角質にクリームを塗布する方法は、皮膚がベタついたり、アレルギーを生じる問題がある。
【０００３】
そこで、特許文献１に記載されているような角質除去補助具が提案されている。特許文献１に記載の角質除去補助具は、保湿性を有する繊維素材で形成されており、繊維素材で角質を覆い、角質から外部への水分の蒸散を抑えて角質を潤った状態にして軟化することで、角質の除去を容易にすることができる。
【先行技術文献】
【特許文献】
【０００４】
【特許文献１】特開２０００−３４６０２号公報
【発明の概要】
【発明が解決しようとする課題】
【０００５】
上述した通り、特許文献１に記載の角質除去補助具は、角質の保湿効果が優れており、そのため、角質を十分に軟化させて容易に除去することが可能である。ただし、保湿効果の必要がない人体の他の部位についても上記繊維素材で覆われると、上記繊維素材は通気性が悪いために保湿効果の不要な上記人体の他の部位に蒸れが生じてしまい、角質除去補助具を長時間装着するにあたって快適性の面で課題がある。また、上記繊維素材は伸縮性に乏しいため、角質除去補助具を人体の装着部位に装着した際のフィット性に欠けるうえ、装着者の装着部位のサイズに応じて良好に変形し難いことから、装着性の面でも改善の余地がある。
【０００６】
本発明は、上記した課題に着目してなされたもので、長時間装着した場合でも快適性に優れ、また、装着性に優れた角質除去補助具を提供することを目的とする。
【課題を解決するための手段】
【０００７】
本発明の上記目的は、伸縮性及び保湿性を有し、角質化した皮膚を被覆するように配置されるパッド部材と、通気性及び前記パッド部材よりも高い伸縮性を有し、角質化した皮膚を被覆する前記パッド部材を固定するため前記パッド部材に取り付けられたバンド部材と、を備える角質除去補助具により達成される。
【０００８】
上記構成の角質除去補助具の好ましい実施態様においては、前記バンド部材の伸縮性は、前記バンド部材を構成しかつ幅５０ｍｍ及び長さ１００ｍｍとされた布地を長さ方向に荷重を加えながら伸長させ、実質的に伸長する部分の長さが２倍になったときに加えられている荷重が５Ｎ以上２０Ｎ以下であり、かつ、前記長さが２倍になった布地を１分間保持した後、荷重を取り除いた状態で１分間保持したときの回復した長さが、前記布地を伸長させた長さに対する比率で９０％以上１００％以下であることを特徴としている。
【０００９】
上記構成の角質除去補助具のさらに好ましい実施態様においては、前記パッド部材は、足の後部の踵を覆うようにカップ状に形成され、前記バンド部材は、足の甲の少なくとも一部を覆い、かつ、足先を露出させる先端側の開口部が下端部よりも上端部が足先側に位置するとともに前記パッド部材の先端部から斜め上方に延びるように、前記パッド部材に取り付けられていることを特徴としている。
【００１０】
上記構成の角質除去補助具のさらに好ましい実施態様においては、前記バンド部材は、メッシュ状に形成されていることを特徴としている。
【００１１】
上記構成の角質除去補助具のさらに好ましい実施態様においては、前記パッド部材は、クロロプレンゴムの表裏面に合成樹脂繊維からなる布地が貼り合わされて形成されていることを特徴としている。
【発明の効果】
【００１２】
本発明の角質除去補助具によれば、保湿性を有するパッド部材で角質を被覆することにより、パッド部材の内側は通気性を有しない密閉構造をなす。よって、皮膚からの水分（汗など）が外部に蒸散することが抑えられてパッドの内側が湿潤状態となる。よって、角質化により硬化した皮膚が適度に蒸され、ふやけて軟化する。その結果、軟化した角質を軽く拭き取るだけで容易に角質を除去できるうえ、まだ角質化していない皮膚の乾燥を防ぐことで、角質化することを防止できる。加えて、角質化した皮膚を被覆するパッド部材を固定するためのバンド部材が通気性を有していることで、バンド部材により覆われる保湿効果の不要な人体の他の部位が蒸れることを防止できる。よって、角質除去補助具の装着時の快適性を向上でき、長時間快適に装着することができる。さらに、バンド部材が高い伸縮性を有し、良好に伸び縮みするため、角質除去補助具の装着時のフィット性が向上するとともに、使用者の足の大きさや足の甲の高さなど、足のサイズの違いに順応して変形することが可能であるので、角質除去補助具の装着時の装着性も向上できる。
【図面の簡単な説明】
【００１３】
【図１】本発明の一実施形態の角質除去補助具の正面図である。
【図２】図１の角質除去補助具を人体の足の踵に装着した状態を示す模式図である。
【図３】パッド部材を構成する素材の断面図である。
【図４】パッド部材の底面図である。
【図５】バンド部材の展開した状態の平面図である。
【図６】伸縮性の測定方法を示す説明図である。
【図７】本発明の他の実施形態の角質除去補助具の斜視図である。
【発明を実施するための形態】
【００１４】
以下、本発明に係る角質除去補助具の実施形態について図面を参照しつつ説明する。図１は、本実施形態の角質除去補助具１の外観を示し、図２は、図１の角質除去補助具１を人体の足Ｆの踵Ｈに装着した状態を示す。
【００１５】
角質除去補助具１は、人体の角質化した皮膚（角質）を被覆するように配置されるパッド部材２と、パッド部材２に取り付けられたバンド部材３とを備えている。パッド部材２で角質を被覆しながらバンド部材３により角質除去補助具１を人体の所定の装着部位に巻き付けることで、パッド部材２を角質と相対する位置に固定し、パッド部材２により角質を十分に保湿して軟化することで、角質の除去を容易にするものである。
【００１６】
なお、本実施形態の角質除去補助具１は、人体の足Ｆの後部の踵Ｈの角質を除去するために、足Ｆの踵Ｈに装着されるショートソックスタイプのものである。そのため、角質除去補助具１の全体形状は、使用者の足Ｆを挿入するための第１の開口部（上側の開口部）１０と、使用者の足先を露出させるための第２の開口部（先端側の開口部）１１とを有する筒状に形成されている。本実施形態の角質除去補助具１においては、足先側を先端側、踵側を後端側、足底側を下側、及び足の甲側を上側と定義する。
【００１７】
パッド部材２は、伸縮性及び保湿性（非通気性）を有しており、パッド部材２で角質を被覆することで、パッド部材２の内側は通気性を有しない密閉構造をなす。そのため、角質（皮膚）からの水分（汗など）が外部へ蒸散するのが抑えられてパッド部材２の内側が湿潤状態となる。その結果、角質化により硬化した皮膚が適度に蒸されて十分に軟化するため、角質の除去が容易となる。
【００１８】
このようなパッド部材２は、例えばクロロプレンゴム、イソプレンゴム、ニトリルゴム、ブタジエンゴム、スチレン・ブタジエンゴム、ウレタンゴム、シリコンゴムなどの保湿性及び伸縮性を有する合成ゴムを素材として用いることができる。特に、マリンスポーツなどのウエットスーツに使用されている、図３に示すような、クロロプレンゴムなどの合成ゴム２０の表裏の両面に、表地２１及び裏地２２として例えばナイロンジャージなどの伸縮性かつ通気性を有する合成樹脂繊維からなる布地が貼り合わされた素材２３は、保湿性に優れるとともに皮膚に対する触感（肌触り）が優れているため、パッド部材２の素材として好適に用いることができる。なお、パッド部材２の厚さは、装着性（使用感）の点から１ｍｍ以上３ｍｍ以下が好ましく、１．２ｍｍ以上２．２ｍｍ以下が好ましい。また、パッド部材２は、抗菌性を備えることが好ましい。抗菌性は、合成ゴム２０の人体（踵Ｈ）と接する側の面を抗菌剤（例えばピリジン系抗菌剤や第四級アンモニウム塩）によりコーティングしたり、合成ゴム２０中に抗菌剤を含ませることでパッド部材２に備えさせることができる。なお、チタンによるコーティング加工を行うと、パッド部材２の保温性を向上させることもできる。また、人体（踵Ｈ）と接する側の裏地２２に対しても抗菌加工することが好ましい。
【００１９】
本実施形態のパッド部材２は、足Ｆの踵Ｈに宛がわれるため、図１、図２及び図４に示すように、踵Ｈの周辺部も含め踵Ｈを覆い包めるように頂部が丸く盛り上がったカップ状に形成されている。このパッド部材２は、略半楕円形状の２枚のシート状の素材２３を、足Ｆの踵Ｈの幅方向の中心線にあたる合わせ部分２４で、伸縮性を有するナイロンなどの縫製糸２５を用いて縫い合わせることで形づくられる。また、パッド部材２は、上端部２６が足Ｆの踝Ａ付近の高さ位置まで延びており、先端部２７が足裏の凹状に窪む土踏まずＴの後端側の縁部付近にかかる位置まで延びるように大きさが設定されている。これにより、角質の除去つまりは保湿効果の必要な部位である足Ｆの踵Ｈ（周辺部を含む）のみがパッド部材２により覆われ、保湿効果の不要な足Ｆの踵Ｈ以外の部位についてはパッド部材２により覆われないので、保湿効果の不要な足Ｆの部位が蒸れることを防止できる。
【００２０】
バンド部材３は、伸縮性及び通気性を有する布地３４からなり、パッド部材２に伸縮性を有するナイロンなどの縫製糸３０で縫い合わされている。本実施形態では、角質除去補助具１が足首に装着されるショートソックスタイプのものであることから、図５に示すように、バンド部材３は帯状をなし、その両端部３３がカップ状のパッド部材２の開口周縁２８に縫い合わされていて、足Ｆの甲Ｉの少なくとも一部（後側の一部）を被覆するように掛け渡されている。これにより、使用者の足Ｆを挿入する上側の第１の開口部１０と、使用者の足先を露出させる先端側の第２の開口部１１とが形成される。バンド部材３が通気性を有していることで、バンド部材３により覆われた足Ｆの甲Ｉの部分が外気と接することができる。よって、角質除去補助具１の装着時に、保湿効果の不要な足Ｆの甲Ｉの部分が蒸れることを防止できる。なお、バンド部材３における「通気性」とは、気体が通過できればよいものであり、また、透湿性を有するものであってもよい。
【００２１】
また、バンド部材３は、角質除去補助具１を人体に装着する際に、引き伸ばされて伸長した状態で第１の開口部１０から人体が挿入され、その後、伸長したバンド部材３の元に戻ろうとする回復力により収縮して、装着部位に巻き付けられる。このとき、バンド部材３が収縮して適度な締め付け力が装着部位に作用することにより、パッド部材２が装着部位にフィットし、パッド部材２が装着部位から移動することがないよう固定される。よって、バンド部材３は、角質除去補助具１の装着時に引き伸ばされる際に、ある程度の長さ伸長（変形）することが必要である。バンド部材３の伸長性が低すぎると、人体における装着部位の形状や太さ（サイズ）に対してバンド部材３が追随して伸長（変形）せず、角質除去補助具１を人体の装着部位に装着するのに装着し難いからである。加えて、バンド部材３は、引き伸ばされてある程度の長さまで伸長しても、元に戻ろうとする回復力が弱くてさほど収縮しないと、装着部位にバンド部材３の収縮による締め付け力がほとんど作用しないので、パッド部材２が装着部位にフィットせず、パッド部材２が装着部位から移動したり、パッド部材２が装着部位に良好に密着せずにパッド部材２の内側の装着部位との間の空間を密閉構造とできないおそれがある。そのため、バンド部材３が伸長した場合には、元に戻ろうとする回復力がバンド部材３に大きく作用してバンド部材３が収縮することが好ましく、よって、バンド部材３は大きな伸縮性が必要となり、少なくともパッド部材２よりも高い伸縮性を有している。
【００２２】
この伸縮性の測定方法としては、次の方法を示すことができる。まず、バンド部材３を構成する布地を長さ１００ｍｍ、幅５０ｍｍにカットした試料を垂直に配置し、図６に示すように、その上端部及び下端部から長さ方向で２０ｍｍにわたる部分を冶具４で挟んで固定する。なお、試料は、バンド部材３から採取したもの、あるいは、バンド部材３を形成する布地と同質の布地から採取したもののいずれであってもよい。そして、試料を例えばオートグラフＡＧＳ−Ｊ（島津製作所社製）などの引っ張り試験機で次第に荷重を加えながら引っ張り、これにより試料の冶具４で挟まれていない部分（実質的に引っ張られて伸長する部分）Ｌの長さが２倍になった時点で加えられている荷重（張力）を測定する。その結果として、測定された張力が、５Ｎ以上２０Ｎ以下となる布地を使用することが好ましく、８Ｎ以上１１以下となる布地を使用することがさらに好ましい。さらに、前記試料を２倍の長さとなっている状態で１分間保持させた後、力を取り除いた状態で試料を１分間保持したときの回復（収縮）した長さが、伸長させた長さに対する比率（以下、「回復率」という。）で９０％以上１００％以下である布地を使用することが好ましく、９５％以上１００％以下である布地を使用することがさらに好ましい。なお、「回復（収縮）した長さ」とは、試料が伸長した状態から力が取り除かれて回復（収縮）した状態になったときの試料の長さの変化をいい、「伸長後の部分Ｌ（試料）の長さ」から「回復後の部分Ｌ（試料）の長さ」を引いたものを指す。また、「伸長させた長さ」とは、試料を伸長させときの試料の長さの変化をいい、「伸長後の部分Ｌ（試料）の長さ」から「伸長前の部分Ｌ（試料）の長さ」を引いたものを指す。
【００２３】
また、本実施形態のバンド部材３は、第２の開口部１１が下端部１１Ｂよりも上端部１１Ａが足先側に位置するように、先端側の側縁部３１が傾斜状にカットされている。加えて、バンド部材３は、第２の開口部１１（つまりはバンド部材３の先端側の側縁部３１）がパッド部材２の先端部２７から斜め上方に延びるように、パッド部材２に取り付けられている。これにより、第２の開口部１１がパッド部材２の先端部２７から斜め上方に延びるように、バンド部材３が形成され、その結果、第２の開口部１１がパッド部材２の先端部２７から鉛直上方に延びる場合と比べて、バンド部材３の足Ｆの甲Ｉを覆う部分３２の長さ（幅）Ｄを大きく取ることができる。これにより、バンド部材３の強度を向上させることができる。角質除去補助具１を人体に装着する際には、バンド部材３は引き伸ばされて伸長した状態で第１の開口部１０から人体が挿入され、装着部位に巻き付けられる。このように、バンド部材３は角質除去補助具１の使用の度に引き伸ばされてダメージを受け、特に足Ｆの甲Ｉを覆う部分３２は繰り返しの使用（ダメージ）に伴い破れやすくなるが、バンド部材３の上記長さＤを大きく取って強度を向上させることで、繰り返しの使用（ダメージ）に対する耐久性を向上させることができる。そのうえ、バンド部材３の上記長さＤが短いと、バンド部材３の足Ｆの甲Ｉを覆う部分３２が捲れ易くなるために、角質除去補助具１の装着時の装着性を低下させるが、バンド部材３の上記長さＤを大きく取ることで、バンド部材３の足Ｆの甲Ｉを覆う部分３２が容易に捲れることを防止できるので、角質除去補助具１の装着時の装着性を向上させることもできる。バンド部材３の上記長さＤは、上記した点から、５０ｍｍ〜６０ｍｍに設定することが好ましく、５５ｍｍに設定するのがより好ましい。
【００２４】
バンド部材３の素材としては、伸縮性及び通気性に加えて、皮膚（肌）にやわらかく接する柔軟性を有するものが好ましく、天然繊維や合成繊維を使用した織物や編物を用いることができる。例えば、本実施形態では、ポリウレタン及びポリエステルを混紡した混合繊維が用いられている。また、バンド部材３としては、メッシュ状に形成されていることが好ましい。バンド部材３をメッシュ状に形成することで、バンド部材３の通気性をさらに向上させることができ、足Ｆの蒸れを効果的に防止することができるうえ、バンド部材３の皮膚（肌）に対する接触面積の減少により触感（肌触り）を良好なものとすることができるので、角質除去補助具１の装着時の快適性をより優れたものとすることができる。さらに、バンド部材３をメッシュ状に形成することで、バンド部材３の弾力性及び強度を向上させることもできる。なお、メッシュの透孔（メッシュ目）の形状は、円形、楕円形、矩形、菱形や六角形など種々の形状とすることができる。また、バンド部材３の目付けは、装着性（使用感）の点から１００ｇ／ｍ２〜３００ｇ／ｍ２に設定するのが好ましく、２００ｇ／ｍ２〜２５０ｇ／ｍ２に設定するのがより好ましい。
【００２５】
次に、上記構成の角質除去補助具１の使用方法について説明する。まず、角質除去補助具１を人体の装着部位（本実施形態では足Ｆの踵Ｈ）に装着する。具体的には、バンド部材３を引き伸ばし、第１の開口部１０を大きく開いて第１の開口部１０から足Ｆを挿入し、パッド部材２を足Ｆの踵Ｈに宛がって踵Ｈ及び踵Ｈの周辺を覆うとともに、第２の開口部１１から足先を露出させる。これにより、角質除去補助具１が人体の装着部位（足Ｆの踵Ｈ）に装着される。
【００２６】
角質除去補助具１が人体の装着部位に装着されると、パッド部材２が保湿性を有しているため、パッド部材２の内側が非通気性の密閉構造となり、踵Ｈからの水分の外部への蒸散が抑えられることでパッド部材２の内側を湿潤状態とすることができる。よって、就寝時など、角質除去補助具１を長時間装着することで、踵Ｈに形成された角質が十分に蒸され、角質化により硬化した皮膚が軟化してしっとりとした状態となる。そして、装着部位から角質除去補助具１を取り外し、軟化した角質を軽石やスポンジ、タオルなどで軽くブラッシングすることで、角質を容易に除去することができ、角質化によりガサガサしていた皮膚をツルツル（すべすべ）にすることができる。
【００２７】
上記構成の角質除去補助具１によると、角質除去補助具１の装着中においては、パッド部材２が人体の装着部位にこれを被覆するようにして密着していると同時に、バンド部材３が装着部位に巻き付けられることでパッド部材２が装着部位に固定されるが、バンド部材３が通気性を有していることで、装着部位のうちバンド部材３により覆われた部分（足Ｆの甲Ｉ）は外気と接することができる。よって、角質除去補助具１の装着中に保湿効果の不要な部分（足Ｆの甲Ｉ）が蒸れることを防止でき、角質除去補助具１の装着時の快適性を向上できる。加えて、バンド部材３がメッシュ状に形成されているので、バンド部材３の通気性をさらに向上させることができ、足Ｆの蒸れを効果的に防止することができるうえ、バンド部材３の肌触りを良好にできるため、角質除去補助具１の装着時の快適性をより向上できる。
【００２８】
また、バンド部材３が、パッド部材２の伸縮性よりも大きい良好な伸縮性を有しているので、角質除去補助具１を人体に装着する際に、バンド部材３を容易に引き伸ばすことができる。よって、角質除去補助具１を人体の装着部位に容易に装着することができるうえ、人体における装着部位のサイズに対してバンド部材３が追随して伸長するので、多少のサイズの違いに順応して装着することができる。さらに、伸長したバンド部材３には元に戻ろうとする回復力が大きく作用し、バンド部材３が収縮して適度な締め付け力が装着部位に作用するため、パッド部材２が装着部位にフィットし、パッド部材２が装着部位から移動することがないよう固定される。よって、パッド部材２が装着中に位置ずれなどすることが防止される。以上のように、上記構成の角質除去補助具１によると、角質除去補助具１の装着時の装着性を向上できる。
【００２９】
また、バンド部材３は、第２の開口部１１が下端部１１Ｂよりも上端部１１Ａが足先側に位置するよう先端側の側縁部３１が傾斜状にカットされているので、バンド部材３の足Ｆの甲Ｉを覆う部分３２の長さ（幅）Ｄを大きく取ることができる。よって、バンド部材３の強度が向上し、角質除去補助具１が人体に繰り返し装着されても、バンド部材３が容易に破れることを防止できる。加えて、角質除去補助具１の装着時において、バンド部材３の足Ｆの甲Ｉを覆う部分３２が容易に捲れることを防止できるので、角質除去補助具１の装着時の装着性をさらに向上できる。
【００３０】
以上、本発明の実施形態について説明したが、本発明は上記実施形態に限定されるものではなく、本発明の趣旨を逸脱しない限りにおいて種々の変更が可能である。例えば、上記実施形態では、角質除去補助具１が足Ｆの踵Ｈに装着されるショートソックス（足袋）タイプのものにおいて、踵Ｈの角質を除去するために踵Ｈを被覆するパッド部材２が配置されているが、踵Ｈに加えてあるいは踵Ｈに代えて、踝Ａや足裏の足先側の部分などの角質を除去するため、踝Ａや足裏の足先側の部分を被覆できるパッド部材２を配置するように構成してもよい。
【００３１】
また、上記実施形態では、足Ｆの踵Ｈに装着されるショートソックス（足袋）タイプの角質除去補助具１について説明したが、図７に示すように、足の膝や腕の肘に装着して膝や肘に形成された角質を除去できるよう、角質除去補助具１をサポータータイプとしてもよい。この場合、パッド部材２は、上記実施形態と同様に、膝や肘を覆い包めるように頂部が丸く盛り上がったカップ状に形成される。また、バンド部材３は、上端部及び下端部に足や手を挿入するための開口部１２及び露出させるための開口部１３を有する円筒状に形成され、バンド部材３の膝や肘を被覆可能な位置に、パッド部材２が縫い合わせにより取り付けられる。なお、パッド部材２及びバンド部材３の素材は上記実施形態と同じであるので、ここでは詳細な説明は省略する。
【実施例】
【００３２】
以下、実施例及び比較例に基づいて、本発明をさらに詳細に説明する。但し、本発明は以下の実施例に限定されるものではない。
【００３３】
まず、下記表１の通り伸縮性の異なるバンド部材（実施例１，２及び比較例１〜３）を用いた角質除去補助具について、１０人の被験者に装着してもらい、これを装着した際の装着性（使用感）について１〜５の５段階評価による官能試験を行った。その結果を表２に示す。なお、評価結果は、「バンド部材による締め付けが強すぎることも弱すぎることもなく、装着性が非常に良い」と感じる場合を５点とし、「バンド部材による締め付けが強すぎる、あるいは弱すぎるため装着性が非常に悪い」と感じる場合を１点とし、１０人の平均点が４．５点以上を「◎」、３．５点以上４．５点未満を「○」、２．５点以上３．５点未満を「△」、２．５点未満を「×」とした。また、使用した角質除去補助具は、図１に示すソックスタイプのものであり、実施例１，２及び比較例１のバンド部材は、ポリウレタンの芯糸とポリエステルの巻糸とからなるカバーリングヤーンで形成された伸縮性のあるメッシュ生地（いわゆるパワーネット）で作製されており、比較例２のバンド部材は、ポリウレタンのスパンボンド不織布で作製されており、比較例３のバンド部材は、クロロプレンゴムの表裏面にナイロンジャージが貼り合わされた素材、つまり、角質除去補助具全体がパッド部材と同じ素材で作製されている。また、実施例１，２及び比較例１〜３のバンド部材の伸縮性は、上記した試験（図６）により測定した結果である。
【００３４】
下記の表２に示されているように、実施例１，２のバンド部材を用いた角質除去補助具を装着した場合には、比較例１〜３のバンド部材を用いた角質除去補助具を装着した場合よりも、装着性に関して高い評価を受けており、特に、実施例２（２倍に伸長させたときの張力が５Ｎ以上２０Ｎ以下となる布地）からなるバンド部材を用いた場合は、かなり高い評価を受けている。以上の結果から、本実施形態の角質除去補助具は、バンド部材が良好な伸縮性を有しているので、装着時の装着性を良好にできることが分かる。
【００３５】
次に、バンド部材に通気性及び良好な伸縮性を有する布地を用いた実施例１，２の角質除去補助具について、パッド部材による患部の保湿効果を測定した結果を下記表２に示す。保湿効果試験は、まず、室温２０℃に設定された測定室内で被験者を１０分間馴化した後、開始時のデータとして、被験者の両足の甲及び踵の水分量を皮表角層水分量測定装置「ＳＫＩＣＯＮ−２００」（ＩＢＳ社製）で測定した。次に、右足に実施例１のバンド部材を用いた角質除去補助具を装着し、左足に比較例３のバンド部材を用いた角質除去補助具を装着して、両足に靴下を履き、２時間後及び４時間後の被験者の両足の甲及び踵の水分量を測定した。同様に、右足に実施例２及び比較例１，２のバンド部材を用いた角質除去補助具を順次装着して、右足の甲及び踵の水分量を、開始時、２時間後及び４時間後に測定した。
【００３６】
下記の表２に示されているように、実施例１，２のバンド部材を用いた角質除去補助具を装着した場合、従来例の角質除去補助具と同構造である比較例３のバンド部材を用いた角質除去補助具を装着した場合と比べて、足の踵の部分が含有する水分量に遜色がないことが確認される。よって、本実施形態の角質除去補助具は、患部（足の踵）に対して従来例の角質除去補助具と同程度の保湿効果を実現していることが分かる。一方で、実施例１，２のバンド部材を用いた角質除去補助具を装着した場合、患部（足の踵）とは関係のない足の甲の部分が含有する水分量が、比較例３のバンド部材を用いた角質除去補助具を装着した場合と比べてかなり低いことが確認される。よって、バンド部材が通気性を有していることから、患部（足の踵）以外の部分（足の甲）が蒸れることが防止されており、本実施形態の角質除去補助具は、従来例の角質除去補助具よりも装着時の快適性が優れていることが分かる。以上の結果から、本実施形態の角質除去補助具は、保湿効果は従来例の角質除去補助具と同程度でありながら、装着時の快適性を向上できることが分かる。
【００３７】
【表１】
0006385736.tif 000002
【００３８】
【表２】
0006385736.tif 000003
【符号の説明】
【００３９】
１    角質除去補助具
２    パッド部材
３    バンド部材
１１  第２の開口部
１１Ａ  上端部
１１Ｂ  下端部
２７  パッド部材の先端部
【図１】
0006385736.tif 000004
【図２】
0006385736.tif 000005
【図３】
0006385736.tif 000006
【図４】
0006385736.tif 000007
【図５】
0006385736.tif 000008
【図６】
0006385736.tif 000009
【図７】
0006385736.tif 000010